(57)【要約】      （修正有）【課題】既製品のネイルチップであっても自爪に強固に接着することが可能なネイルチップ用接着剤、および接着剤塗布装置を提供する。【解決手段】ネイルチップ１を自爪２に接着するためのネイルチップ用接着剤を棒状の熱可塑性樹脂３で構成する。接着剤塗布装置は、外殻を形成するケーシング４１と、ケーシング４１内に設けられ、ネイルチップ用接着剤３を収容するシリンダ部と、シリンダ部に収容されたネイルチップ用接着剤３を加熱する加熱部と、ケーシングに取り付けられ、加熱部にて加熱されて融解したネイルチップ用接着剤３を外部に吐出するノズル部４４と、を備える。【選択図】図３
0003169774.tif 000002
【実用新案登録請求の範囲】
【請求項１】
ネイルチップ（１）を自爪（２）に接着するためのネイルチップ用接着剤であって、
加熱時に融解すると共に、冷却時に硬化して接着作用を発揮する熱可塑性樹脂（３）で構成されていることを特徴とするネイルチップ用接着剤。
【請求項２】
請求項１に記載のネイルチップ用接着剤を前記ネイルチップ（１）における前記自爪（２）との接合面（１３）、および前記自爪（２）の表面（２０）の一方に塗布する接着剤塗布装置であって、
外殻を形成するケーシング（４１）と、
前記ケーシング（４１）内に設けられ、前記ネイルチップ用接着剤（３）を収容するシリンダ部（４２）と、
前記シリンダ部（４２）に収容された前記ネイルチップ用接着剤（３）を加熱する加熱部（４３）と、
前記ケーシング（４１）に取り付けられ、前記加熱部（４３）にて加熱されて融解した前記ネイルチップ用接着剤（３）を外部に吐出するノズル部（４４）と、
を備えることを特徴とする接着剤塗布装置。
【請求項３】
前記ノズル部（４４）は、少なくとも外部に露出した部位が断熱材（４４ａ）で覆われていることを特徴とする請求項２に記載の接着剤塗布装置。
【請求項４】
前記ノズル部（４４）から吐出する前記ネイルチップ用接着剤（３）の吐出量を調整する吐出量調整機構（４５）を備えることを特徴とする請求項２または３に記載の接着剤塗布装置。
【請求項５】
前記ネイルチップ用接着剤（３）は、その軟化温度が前記ネイルチップ（１）の耐熱温度よりも低い温度となる熱可塑性樹脂で構成され、
前記加熱部（４３）は、前記ネイルチップ用接着剤（３）の加熱温度が前記ネイルチップ（１）の耐熱温度以下となるように制限されていることを特徴とすることを特徴とする請求項２ないし４のいずれか１つに記載の接着剤塗布装置。
【請求項６】
前記ケーシング（４１）における前記ノズル部（４４）が取り付けられた部位には、温度変化に応じて色が変化するサーモシール（４６）が設けられていることを特徴とする請求項２ないし５のいずれか１つに記載の接着剤塗布装置。
【考案の詳細な説明】
【技術分野】
【０００１】
本考案は、ネイルチップ用接着剤、および接着剤塗布装置に関する。
【背景技術】
【０００２】
従来、女性を中心として、装飾が施されたネイルチップ（付け爪）を自爪に装着して、お洒落を楽しむということが行われている。この種のネイルチップは、複数の形状や寸法に形成された既製品が種々販売されており、その中からユーザの自爪に合いそうなネイルチップを購入することができる。
【０００３】
ネイルチップの自爪への装着は、両面テープ、瞬間接着剤、粘着剤等を用いて自爪に接着するのが一般的であるが、自爪の外表面の湾曲具合、輪郭、寸法等がユーザ毎や同じユーザの指毎に異なるので、単に既製品のネイルチップを両面テープ等にて自爪に接着すると、自爪とネイルチップとの間に隙間が生じ、剥がれ易いといった欠点がある。
【０００４】
これに対して、例えば、特許文献１では、ユーザの自爪の三次元形状を測定し、その三次元形状を元にユーザの自爪の湾曲具合等に適合するネイルチップを製造する方法が提案されている。
【先行技術文献】
【特許文献】
【０００５】
【特許文献１】特開２０１１−６７３８５号公報
【考案の概要】
【考案が解決しようとする課題】
【０００６】
ところで、特許文献１の製造方法により製造されたネイルチップは、自爪への適合性に優れているものの、ネイルチップの型を製作することから、製作に長時間を要すると共に、コストが高いといった問題がある。
【０００７】
本考案は上記点に鑑みて、既製品のネイルチップであっても自爪に強固に接着することが可能なネイルチップ用接着剤、および接着剤塗布装置を提供することを目的とする。
【課題を解決するための手段】
【０００８】
上記目的を達成するため、請求項１に記載の考案では、ネイルチップ（１）を自爪（２）に接着するためのネイルチップ用接着剤であって、加熱時に融解すると共に、冷却時に硬化して接着作用を発揮する熱可塑性樹脂（３）で構成されていることを特徴とする。
【０００９】
これによると、自爪（２）にネイルチップ（１）を接着する際、融解した熱可塑性樹脂（３）が自爪（２）とネイルチップ（１）との間の隙間に回りこむため、自爪（２）とネイルチップ（１）との間の接着面積を充分に確保することができ、自爪（２）とネイルチップ（１）とを強固に接着することができる。
【００１０】
なお、自爪（２）からネイルチップ（１）を取り外す場合には、ネイルチップ（１）が接着された自爪（２）を温水等に浸し、熱可塑性樹脂（３）を軟化させることで、自爪（２）からネイルチップ（１）を容易に取り外すことができる。このように、ネイルチップ（１）を破壊することなく、自爪（２）から取り外すことができるので、ネイルチップ（１）を再使用することが可能となる。
【００１１】
また、請求項２に記載の考案では、請求項１に記載のネイルチップ用接着剤をネイルチップ（１）における自爪（２）との接合面（１３）、および自爪（２）の表面（２０）の一方に塗布する接着剤塗布装置であって、外殻を形成するケーシング（４１）と、ケーシング（４１）内に設けられ、ネイルチップ用接着剤（３）を収容するシリンダ部（４２）と、シリンダ部（４２）に収容されたネイルチップ用接着剤（３）を加熱する加熱部（４３）と、ケーシング（４１）に取り付けられ、加熱部（４３）にて加熱されて融解したネイルチップ用接着剤（３）を外部に吐出するノズル部（４４）と、を備えることを特徴とする。
【００１２】
このような塗布装置を用いることで、熱可塑性樹脂で構成されるネイルチップ用接着剤（３）を融解させると共に、融解したネイルチップ用接着剤（３）をネイルチップ（１）における接合面（１３）および自爪（２）の表面（２０）の一方に容易に塗布することができる。
【００１３】
ところで、ネイルチップ用接着剤（３）を吐出するノズル部（４４）は、非常に高温となる場合があり、直接触れるとネイルチップ（１）が溶けたり、ユーザが火傷したりする虞がある。
【００１４】
このため、請求項３に記載の考案では、請求項２に記載の接着剤塗布装置において、ノズル部（４４）は、少なくとも外部に露出した部位が断熱材（４４ａ）で覆われていることを特徴とする。これにより、ネイルチップ（１）の保護、およびユーザの火傷等を防止することができる。
【００１５】
また、請求項４に記載の考案では、請求項２または３に記載の接着剤塗布装置において、ノズル部（４４）から吐出するネイルチップ用接着剤（３）の吐出量を調整する吐出量調整機構（４５）を備えることを特徴とする。これによれば、ユーザが所望する適量のネイルチップ用接着剤（３）を吐出することが可能となる。
【００１６】
また、請求項５に記載の考案では、請求項２ないし４のいずれか１つに記載の接着剤塗布装置において、ネイルチップ用接着剤（３）は、その軟化温度がネイルチップ（１）の耐熱温度よりも低い温度となる熱可塑性樹脂で構成され、加熱部（４３）は、ネイルチップ用接着剤（３）の加熱温度がネイルチップ（１）の耐熱温度以下となるように制限されていることを特徴とすることを特徴とする。
【００１７】
このように、加熱部（４３）によるネイルチップ用接着剤（３）の加熱温度を制限することで、ノズル部（４４）の温度およびネイルチップ用接着剤（３）の温度を低い温度とすることができる。この結果、ネイルチップ（１）の保護、およびユーザの火傷等を効果的に防止することが可能となる。
【００１８】
また、請求項６に記載の考案では、請求項２ないし５のいずれか１つに記載の接着剤塗布装置において、ケーシング（４１）におけるノズル部（４４）が取り付けられた部位には、温度変化に応じて色が変化するサーモシール（４６）が設けられていることを特徴とする。これによれば、ユーザがノズル部（４４）付近の温度を視認することができるので、ユーザに対して注意を喚起することが可能となる。
【００１９】
なお、この欄および実用新案登録請求の範囲で記載した各手段の括弧内の符号は、後述する実施形態に記載の具体的手段との対応関係を示すものである。
【図面の簡単な説明】
【００２０】
【図１】実施形態に係るネイルチップを説明するための説明図である。
【図２】実施形態に係るグルーガンの斜視図である。
【図３】実施形態に係るネイルチップの装着方法を説明する説明図である。
【考案を実施するための形態】
【００２１】
以下、本考案の一実施形態について図面に基づいて説明する。図１は、本実施形態に係るネイルチップを説明するための説明図であり、図１の（ａ）がネイルチップ１を装着した指先部分の上面図であり、図１の（ｂ）がネイルチップ１を装着した指先部分を示す断面図である。なお、本実施形態では、ネイルチップ１として樹脂で構成された既製品を用いている。
【００２２】
図１に示すように、ネイルチップ１は、ユーザの自爪（爪部）２に装着した際に、自爪２と対応する本体部１０と、自爪２の先端から突出するように延びるチップ先端部１１とを備えている。なお、本体部１０とチップ先端部１１とは一体に構成されている。
【００２３】
ネイルチップ１の表面（本体部１０およびチップ先端部１１の表面）１２は、一般に、色彩や模様を付する面である。また、本体部１０の裏面は、自爪２の外表面２０に接合される接合面１３であって、自爪２の外表面２０に沿うように湾曲した形状とされている。そして、ネイルチップ１は、接合面１３に接着剤３を塗布した上で、自爪２に取り付ける。
【００２４】
本実施形態では、ネイルチップ１を自爪２にネイルチップ用接着剤として、加熱時に融解すると共に、冷却時に硬化して接着作用を発揮する熱可塑性樹脂３で構成している。この熱可塑性樹脂３としては、例えば、常温環境下で硬化した状態を維持する熱可塑性ポリエステル樹脂やエチレン酢酸ビニル（ＥＶＡ）系樹脂を採用することができる。
【００２５】
ここで、ネイルチップ１の保護やユーザの火傷等を防止する観点から、熱可塑性樹脂３として、軟化温度がネイルチップ１の耐熱温度よりも低い温度（好ましくは５０℃〜７０℃）となるものを採用している。なお、以下では、熱可塑性樹脂３を単に接着剤３と略称する。
【００２６】
次に、接着剤３をネイルチップ１の接合面１３に塗布する接着剤塗布装置であるグルーガン４について図２に基づいて説明する。図２は、本実施形態に係るグルーガンの斜視図である。なお、説明の便宜のため、図２では、グルーガンの内部構成について破線等を用いて図示している。
【００２７】
グルーガン４は、主たる構成として、外殻を形成するケーシング４１、ケーシング４１の内部に設けられて接着剤３を収容するシリンダ部４２、シリンダ部４２に隣接して配置され、シリンダ部４２内の接着剤３を加熱する加熱部としてのヒータ４３、ケーシング４１に取り付けられたノズル部４４、およびノズル部４４から吐出する接着剤３の吐出量を調整する吐出量調整機構４５を有している。
【００２８】
ケーシング４１は、内部にシリンダ部４２やヒータ４３が設けられた本体部４１１、およびユーザが把持するためのグリップ部４１２が一体に構成されたものである。本実施形態のケーシング４１は、本体部４１１およびグリップ部４１２がハンドガンの如くＬ字状に曲折するように接続されている。なお、ケーシング４１としては、これに限定されず、例えば、一般的な半田ごての如く、本体部４１１およびグリップ部４１２が直線状に並ぶように接続されていてもよい。
【００２９】
ケーシング４１の本体部４１１は、その長手方向のグリップ部４１２側の端面にシリンダ部４２に棒状の接着剤３を挿入するための挿入部４１１ａが形成されると共に、グリップ部４１２と反対側の端面にノズル部４４が取り付けられている。
【００３０】
シリンダ部４２には、挿入部４１１ａ側に硬化した棒状の接着剤３を収容する収容室４２２、およびシリンダ部４２のノズル部４４側にヒータ４３が隣接配置された融解室４２１が形成されている。なお、融解室４２１の先端側には、ノズル部４４が接続されており、融解室４２１内に存する融解した接着剤３がノズル部４４から吐出される。
【００３１】
ヒータ４３は、ＰＴＣヒータやニクロム線ヒータ等からなる電気式のヒータで構成されている。本実施形態のヒータ４３は、その上限温度がネイルチップ１の軟化温度程度（好ましくは５０℃〜７０℃）に制限する図示しない上限温度調整手段（例えば、サーモスタット）を有している。
【００３２】
ここで、ノズル部４４には、ネイルチップ１の保護やユーザの火傷等を防止する観点から、外部に露出する部位が断熱性に優れた断熱材４４ａで覆われている。また、ノズル部４４付近の温度をユーザが視認可能とするために、本体部４１１におけるノズル部４４が取り付けられた先端部に、温度変化に応じて色が変化するサーモシール４６が設けられている。
【００３３】
ケーシング４１のグリップ部４１２の内部には、ヒータ４３に電力を供給するバッテリ４７が収容されている。なお、ヒータ４３への電力の供給は、図示しない通電スイッチの切替によって遮断可能とされている。
【００３４】
また、グリップ部４１２および本体部４１１が接続された部位には、その内部に吐出量調整機構４５が配置されている。この吐出量調整機構４５は、トリガレバー４５１の操作により、シリンダ部４２の収容室４２２内の接着剤３を融解室４２１へ送り出すものである。吐出量調整機構４５によって融解室４２１へ送り出された接着剤３は、ヒータ４３にて加熱されて融解した後、ノズル部４４から吐出される。
【００３５】
また、本実施形態の吐出量調整機構４５は、トリガレバー４５１の操作量に応じて融解室４２１側へ送り出す接着剤３の量を調整可能に構成されている。このような吐出量調整機構４５としては、周知の機械式の機構（例えば、リンク機構）等で構成することができる。
【００３６】
次に、グルーガン４を用いたネイルチップ１の装着方法について説明する。図３は、実施形態に係るネイルチップ１の装着方法を説明する説明図である。なお、図３の（ａ）がグルーガン４の準備段階、（ｂ）が接着剤３をネイルチップ１へ塗布する塗布段階、（ｃ）がネイルチップ１の自爪２への接着段階、（ｄ）がネイルチップ１の自爪２への接着を完了した完了段階を示している。
【００３７】
まず、図３（ａ）に示すように、グルーガン４の挿入部４１１ａに硬化した棒状の接着剤３を挿入して、シリンダ部４２に接着剤３を収容する。そして、通電スイッチをオンしてバッテリ４７からヒータ４３へ電力を投入する。これにより、シリンダ部４２の融解室４２１に存する接着剤３が加熱されて融解する。
【００３８】
次に、図３（ｂ）に示すように、グルーガン４のトリガレバー４５１を操作して、シリンダ部４２の融解室４２１に存する融解した接着剤３をノズル部４４から吐出して、ネイルチップ１における自爪２との接合面１３に塗布する。
【００３９】
その後、図３（ｃ）に示すように、接合面１３に接着剤３が塗布されたネイルチップ１を自爪２の表面に接着する。この際、融解した接着剤３が自爪２とネイルチップ１との間の隙間に回りこみ、自爪２とネイルチップ１との接着面積が充分に確保された状態となる。
【００４０】
この状態で接着剤３の温度が降下すると、接着剤３が硬化して、図３（ｄ）に示すように、ネイルチップ１の自爪２への装着が完了する。
【００４１】
以上説明した本実施形態によれば、既製品のネイルチップ１を用いたとしてもネイルチップ１と自爪２との間に生ずる隙間に融解した接着剤３を回り込ませることができるので、ネイルチップ１と自爪２との間の接着面積を充分に確保することができる。これにより、自爪２とネイルチップ１とを強固に接着することができる。
【００４２】
また、接着剤３は、常温環境下で硬化して接着作用を発揮するため、極めて短時間でネイルチップ１を自爪２へ接着することができる。
【００４３】
なお、自爪２からネイルチップ１を取り外す場合には、ネイルチップ１が装着された指を温水等に浸し、接着剤３を軟化させることで、自爪２からネイルチップ１を容易に取り外すことができる。このため、ネイルチップ１を破壊することなく、自爪２から取り外すことができるので、ネイルチップ１を再使用することが可能となる。
【００４４】
また、ネイルチップ１に接着剤３を塗布する際に、上述のグルーガン４を使用することで、接着剤３を融解させると共に、融解した接着剤３をネイルチップ１における接合面１３に容易に塗布することができる。
【００４５】
さらに、トリガレバー４５１の操作量に応じて、ノズル部４４から吐出する接着剤３の吐出量を調整することができるので、例えば、指毎に使用する接着剤３の量を変更して吐出することができる。すなわち、ユーザが所望する適量の接着剤３をネイルチップ１における接合面１３に塗布することができる。
【００４６】
ところで、グルーガン４における接着剤３を吐出するノズル部４４は、非常に高温となる場合があり、直接触れるとネイルチップ１が溶けたり、ユーザが火傷したりする虞がある。
【００４７】
これに対して、本実施形態では、ノズル部４４における外部に露出した部位を断熱材４４ａで覆っているので、ネイルチップ１の保護、およびユーザの火傷等を防止することができる。
【００４８】
また、接着剤３として、その軟化温度がネイルチップ１の耐熱温度よりも低い温度となる熱可塑性樹脂で構成すると共に、ヒータ４３による接着剤３の加熱温度がネイルチップ１の耐熱温度以下に制限しているので、ノズル部４４の温度および接着剤３の温度を低い温度とすることができる。この結果、ネイルチップ１の保護、およびユーザの火傷等を効果的に防止することが可能となる。
【００４９】
さらに、ケーシング４１におけるノズル部４４が取り付けられた部位に、温度変化に応じて色が変化するサーモシール４６を設けているので、ユーザがノズル部４４付近の温度を視認することができ、ユーザに対して注意を喚起することが可能となる。
【００５０】
（他の実施形態）
本考案は上述の実施形態に限定されることなく、以下のように種々変形可能である。
【００５１】
例えば、上述の実施形態では、加熱部として電気式のヒータ４３を採用する例について説明したが、これに限定されず、ガス式のヒータ等を採用してもよい。
【００５２】
また、上述の実施形態では、トリガレバー４５１の操作量に応じてノズル部４４から吐出する接着剤３の量を調整可能な吐出量調整機構４５を採用する例について説明したが、これに限定されず、トリガレバー４５１の操作一回におけるノズル部４４から吐出する接着剤３の量を調整可能な吐出量調整機構を採用してもよい。
【００５３】
また、上述の実施形態の如く、ネイルチップ１の接合面１３に融解した接着剤３を塗布することが好ましいが、これに限定されず、例えば、ユーザの自爪２の外表面２０に接着剤３を塗布するようにしてもよい。
【００５４】
また、上述の実施形態の如く、ネイルチップ１の保護、およびユーザの火傷等を考慮して、ノズル部４４の一部を断熱材４４ａで覆ったり、ケーシング４１にサーモシール４６を設けたりすることが好ましいが、断熱材４４ａやサーモシール４６を設けない構成としてもよい。
【００５５】
また、上述の実施形態では、ヒータ４３の電源として、グルーガン４のグリップ部４１２に収容したバッテリ４７を用いる例について説明したが、これに限定されず、例えば、グルーガン４のグリップ部４１２に電源コードを接続し、商用電源をヒータ４３の電源として用いるようにしてもよい。
【符号の説明】
【００５６】
１…ネイルチップ、２…自爪、３…熱可塑性樹脂（接着剤）、４…グルーガン（接着剤塗布装置）、４１…ケーシング、４２…シリンダ部、４３…ヒータ（加熱部）、４４…ノズル部、４５…吐出量調整機構、４６…サーモシール
【図１】
0003169774.tif 000003
【図２】
0003169774.tif 000004
【図３】
0003169774.tif 000005
【手続補正書】
【提出日】平成23年6月14日(2011.6.14)
【手続補正１】
【補正対象書類名】実用新案登録請求の範囲
【補正対象項目名】請求項１
【補正方法】変更
【補正の内容】
【請求項１】
ネイルチップ（１）を自爪（２）に接着するためのネイルチップ用接着剤であって、
加熱時に融解すると共に、冷却時に硬化して接着作用を発揮する棒状の熱可塑性樹脂（３）で構成されていることを特徴とするネイルチップ用接着剤。
【手続補正２】
【補正対象書類名】明細書
【補正対象項目名】０００８
【補正方法】変更
【補正の内容】
【０００８】
上記目的を達成するため、請求項１に記載の考案では、ネイルチップ（１）を自爪（２）に接着するためのネイルチップ用接着剤であって、加熱時に融解すると共に、冷却時に硬化して接着作用を発揮する棒状の熱可塑性樹脂（３）で構成されていることを特徴とする。